(57)【要約】  エネルギー蓄積デバイス（１）は、容器（２）と、マンドレル（３）と、少なくとも１つのセパレータ材料シート（４）と、２以上の電極（５）と、を備える。容器（２）は、内部空間（９）を形成するベース（７）及び内面（１０）を備える。マンドレル（３）は、容器（２）内に位置付けられており、容器（２）内にキャビティ（９ａ）を画成するために内面（１０）から間隔をあけている。セパレータ材料シート（４）は、マンドレル（３）の周りに配設されており、キャビティ（９ａ）内に複数の別個のセパレータ層を形成する。少なくとも１つの電極（５）は、別個のセパレータ層それぞれ間に設けられており、容器（２）の外面の少なくとも一部は、湾曲外郭を有している。
2020511748.tif 000002
【特許請求の範囲】
【請求項１】
容器と、マンドレルと、少なくも１つのセパレータ材料シートと、２以上の別個の電極と、を備え、
前記容器が、内部空間を形成するベース及び内面を備え、
前記マンドレルが、前記容器内に位置付けられており、前記マンドレル及び前記内面が、前記容器内にキャビティを画成するために間隔をあけており、
前記セパレータ材料シートが、前記マンドレルの周りに配設されており、前記キャビティ内に複数の別個のセパレータ層を形成し、
少なくとも１つの前記電極が、別個の前記セパレータ層それぞれ間の空間を占めるように設けられており、前記容器の外面の少なくとも一部が、湾曲外郭を有していることを特徴とするエネルギー蓄積デバイス。
【請求項２】
前記マンドレルが、湾曲面を有していることを特徴とする請求項１に記載のエネルギー蓄積デバイス。
【請求項３】
前記マンドレルが、第２面を有していることを特徴とする請求項２に記載のエネルギー蓄積デバイス。
【請求項４】
前記マンドレルの前記第２面が、湾曲しており、前記マンドレルの横断面が、楕円状を有していることを特徴とする請求項３に記載のエネルギー蓄積デバイス。
【請求項５】
前記容器の少なくとも１つの壁が、前記マンドレルの湾曲面に対向する凹状内面を有していることを特徴とする請求項４に記載のエネルギー蓄積デバイス。
【請求項６】
前記凹状内面が、容器壁の外面の少なくとも一部における湾曲外郭に起因して形成されていることを特徴とする請求項５に記載のエネルギー蓄積デバイス。
【請求項７】
前記マンドレルの表面が、前記容器の前記内面の湾曲と同軸であることを特徴とする請求項６に記載のエネルギー蓄積デバイス。
【請求項８】
当該エネルギー蓄積デバイスが、２以上の別個の陽極と、２以上の別個の陰極と、を備えることを特徴とする請求項１から７のいずれか１項に記載のエネルギー蓄積デバイス。
【発明の詳細な説明】
【技術分野】
【０００１】
本発明は、エネルギー蓄積デバイスの容器に関する。より具体的には、本発明は、電気化学セルのための容器に関する。
【背景技術】
【０００２】
電気蓄積デバイス内に収容された電気化学セルは、製品の安全性を保証するために気を付けてパッケージする必要がある反応性のあるかつ有害な材料を備える。パッケージは、有害な材料を収容し、また、セルが充放電する際に材料の温度及び容積における変化に適応しなければならない。所望の堅牢性を有することと同様に、パッケージは、同様に、エネルギー蓄積デバイスの全体エネルギー密度を減少させないように、軽量かつ容積効率のよい必要がある。パッケージ及びパッケージの設計は、同様に、いかなる不要な抵抗の増加をエネルギー蓄積デバイスに付与することを回避しなければならない。
【発明の概要】
【発明が解決しようとする課題】
【０００３】
エネルギー蓄積技術における進展は、エネルギー密度を増加させた電気化学セルを作りだした。これにより、従来の電気化学セルと比較して充放電サイクル中におけるより高い動作温度及び活性材料の大きな容量変化を招き得る。従来のエネルギー蓄積のパッケージは、エネルギー密度を増加させたセルを安全にかつ効率よく適用できないことがある。
【課題を解決するための手段】
【０００４】
本発明の第１態様によれば、エネルギー離蓄積デバイスが提供され、このエネルギー蓄積デバイスは、容器と、マンドレルと、少なくも１つのセパレータ材料シートと、２以上の別個の電極と、を備え、容器は、内部空間を形成するベース及び内面を備え、マンドレルは、容器内に位置付けられており、マンドレル及び内面は、容器内にキャビティを画成するために間隔をあけており、セパレータ材料シートは、マンドレルの周りに配設されており、キャビティ内に複数の別個のセパレータ層を形成し、少なくとも１つの電極は、別個のセパレータ層それぞれ間の空間を占めるように設けられており、容器の外面の少なくとも一部は、湾曲外郭を有している。
【０００５】
本発明は、高エネルギー密度の電気化学蓄積デバイスを提供し、この電気化学蓄積デバイスは、アレイ状に組み合わせると他の同様のデバイスと互いにぴったりと付き得る一方で、アレイ状にあるときに隣接するエネルギー蓄積デバイスとの接触を低減した外面も有する。これによりアレイの全体エネルギー密度が低減するが、外面の湾曲部分によって引き起こされたデバイス間の空隙により、冷却流体は、デバイス間を流動し、充放電中にデバイスから過剰な熱を引き離すことが可能となる。
【０００６】
本発明にかかる別個の電極シート及び収縮可能なマンドレルの組合せにより、セパレータ材料内に巻回された連続的なアノード／カソード電極材料シートに依存する主な巻回型セルとは対照的に、セルが、弾性を有する保護容器内に格納された効率よく接続された高エネルギー密度電極の積層体を備えることが可能となる。このようなデバイスは、２以上の別個の陽極及び２以上の別個の陰極を備え得る。充放電サイクル中において、デバイスそれぞれ内の収集エネルギー密度電極材料は、デバイスから離れるように放射される必要がある所定量の熱を生成すると予想される。さらに、デバイス間の空気または流体間隙により、アレイ状にあるデバイスの熱暴走において、絶縁を可能とする。
【０００７】
マンドレル面は、湾曲し得る。マンドレルの湾曲面は、パッケージ内で電極面にわたって均一な積重圧力を付与し得る。また、マンドレル面は、マンドレルの形状に効率的に反応しかつ適合し得、セルの膨張中における圧力の積み上げを解放する。マンドレルは、マンドレル面が容器の内面の湾曲と同心状となるように形付けられ得る。さらに、マンドレルの形状は、同様に、容器の全体外形と同心状となり得る。本発明は、マンドレルの周囲に巻回される電気化学セルの構成部材に依存しておらず、マンドレルの主な機能は、充放電中の電極容積にしたがって膨縮することによって、セパレータ材料を容器の内面に当接支持することである。
【０００８】
マンドレルは、単一面を有し、円状または弧状の形状であり得る、または、マンドレルは、第２面を有するように形付けられ得る。例えば、マンドレルの第２面は、マンドレルの横断面形状が楕円状となるように湾曲し得る。代替的な構成において、第２マンドレル面は、平坦であり、容器の別の内壁または内面に当接して配置され得る。あるいは、第２マンドレル面は、セパレータ材料と接触し得、圧縮力を付与し得る。第２マンドレル面と接触するセパレータ材料は、第１マンドレル面と接触するセパレータ材料と同じでも異なっていてもよい。
【０００９】
容器の内面は、湾曲し得、それにより、容器は、ほぼ筒状の形状である。マンドレルは、マンドレルの長手方向軸が容器の長手方向軸と位置合わせされるように位置付けられ得る。この形態において、キャビティは、ほぼ管状であり、セパレータ材料シートは、マンドレルの周囲に巻回されてキャビティを充填する。この形態におけるデバイスは、比較的容易に構成される。しかしながら、セパレータ材料シートが渦巻状でありかつセパレータ材料層それぞれのサイズが異なることに起因して、電極のサイズは、パッケージ軸に沿ってマンドレルから離間するにしたがって増加する。
【００１０】
別の形態において、容器は、内面とは反対側にある第２内面を備えるように形付けられ得る。例えば、容器は、対向する面が湾曲した立方体または直方体の形状であり得る。この別の形態において、パッケージ軸は、内面から第２内面まで容器を通過し得、マンドレルは、パッケージ軸に沿って位置付けられて第２キャビティを形成する。少なくとも１つのセパレータ材料シートは、第２キャビティ内に配設され、パッケージ軸に沿って第２の複数のセパレータ層を形成し、１以上の電極は、第２セパレータ層間に設けられる。ほぼ立方体状または直方体状の容器を有することにより、電極を同様のサイズとすることが可能となる。さらに、この実施形態において、マンドレルの周りにセパレータ材料シートを配設することは、複数の形態を取り得る。例えば、セパレータ材料シートは、マンドレルの周りに巻回され得る、または、セパレータ材料シートは、キャビティ内に折り畳まれ得る。１を越えるキャビティがある場合、少なくとも１つのセパレータ材料シートは、キャビティそれぞれ内に設けられ得る。キャビティそれぞれは、少なくとも１つのセパレータ材料シートを備える。さらに、別個のセパレータ材料のロール体は、キャビティそれぞれに設けられ得る。１を越えるセパレータ材料シートを有することによって、１以上のキャビティ内での様々なパッケージ配置を可能とし、同様に、デバイスの一部分における電極またはセパレータ材料の損傷を隔離し得ることを意味する。
【００１１】
容器の内面及び／または外面は、凹状であり得る。マンドレル面を向く表面を湾曲させることによって、より均一な圧力をキャビティ内にあるセルにかけ得る。これにより、電極とセパレータ材料との間に均一な圧力を付与し、セルの効率を改善する。
【００１２】
本発明をより良好に理解するために、かつ、本発明をどのように実施しうるかをより明確に示すために、以下の図面を参照しながら、例として、本発明を説明する。
【図面の簡単な説明】
【００１３】
【図１】本発明のエネルギー蓄積デバイスを示す概略分解図である。
【図２ａ】エネルギー蓄積デバイス内にあるセパレータ材料及びマンドレルの別のレイアウトを示す概略図である。
【図２ｂ】エネルギー蓄積デバイス内にあるセパレータ材料及びマンドレルの別のレイアウトを示す概略図である。
【図２ｃ】エネルギー蓄積デバイス内にあるセパレータ材料及びマンドレルの別のレイアウトを示す概略図である。
【図２ｄ】エネルギー蓄積デバイス内にあるセパレータ材料及びマンドレルの別のレイアウトを示す概略図である。
【図３ａ】本発明の別の実施形態にかかるエネルギー蓄積デバイスを示す概略図である。
【図３ｂ】本発明の別の実施形態にかかるエネルギー蓄積デバイスを示す概略図である。
【図３ｃ】本発明の別の実施形態にかかるエネルギー蓄積デバイスを示す概略図である。
【図４ａ】別の容器形状のアレイを示す概略図である。
【図４ｂ】別の容器形状のアレイを示す概略図である。
【発明を実施するための形態】
【００１４】
図１は、エネルギー蓄積デバイス１を示しており、このエネルギー蓄積デバイスは、容器２、収縮可能なマンドレル３、セパレータ材料４及び別個の電極５を備える。容器２は、共にエネルギー蓄積デバイス１の材料を形成する筐体６、ベース７及びキャップ８を有する。筐体６は、堅牢な材料で形成されており、外部物質がデバイス１を貫通するまたは破裂させることを回避する。筐体６は、深絞り加工／圧延加工／形状加工されており、それにより、電気化学セルの構成部材、すなわち収縮可能なマンドレル３、セパレータ材料４及び電極５を保持するための内部空間９を形成する。筐体６は、空間９を向く内面１０を有する。ベース７及びキャップ８は、筐体６の開口端部を覆うように設けられており、電気化学セルの構成部材３、４、５を包囲する。ベース７及びキャップ８を筐体６とは別の部品として示しているが、筐体６が事前に形成されたベース７及びキャップ８を有し得るまたはベース及びキャップに取り付けられ得ることを想定可能である。
【００１５】
マンドレル３は、第１マンドレル面１１と、腕体１３によって接続された第２マンドレル面１２と、を有する。マンドレル３は、プラスチックまたは金属のような柔軟な材料からなる単一片から形成されている。マンドレル３の横断面は、概してＳ字形状を有しており、その外郭は、楕円状である。マンドレル３は、Ｓ字形状に垂直な長手方向軸Ｌを有しており、このＳ字形状は、湾曲面１１、１２及び腕体１３によって形成されている。マンドレル３は、その長手方向軸Ｌに沿って延在しており、そのため、マンドレルは、長さについて、容器２と同様である。マンドレル３の全体横断面形状は、マンドレルの長手方向軸Ｌの全長に沿って同じである。
【００１６】
マンドレル３は、マンドレルを容器２の内部空間９内に配置し得るように形成されている。マンドレル３を内部空間９内に位置付けると、キャビティ９ａは、マンドレル面１１、１２と容器２の内面１０との間に残る。マンドレル３の形状に起因して、中空デッドスペースの柱は、マンドレル面１１、１２と腕体１３との間に存在し、長手方向軸Ｌに沿って延在する。中空柱は、マンドレル３のための空間が折り畳むことを可能とし、また、電気化学セルの構成部材３、４、５を容器２内に配置したときにベース７の少なくとも一部への溶接のためのアクセスを提供する。
【００１７】
マンドレル３は、パッケージ軸Ｐの方向で収縮可能であり、このパッケージ軸は、セパレータ材料４に関して後述する。一般に、マンドレル３は、マンドレルの横断面のほぼ楕円状の外郭がサイズにおいて減少するように、収縮し得るかつ／または変形し得る。マンドレル３が占める空間９の容積は、マンドレル３が収縮するにしたがって減少する。さらに、マンドレル面１１、１２は、外部圧力を受けて変形し得、そのため、湾曲部または円弧部は、表面にかかる収縮力に従って変化し得る。
【００１８】
図１に示すようなセパレータ材料４は、電子的に絶縁する多孔性材料の連続シートである。セパレータ材料４は、巻かれて容器２とマンドレル３との間のキャビティ９ａ内に位置付けられている。セパレータ材料４は、巻回軸Ｗ回りでマンドレル３の周囲に巻回されており、この巻回軸は、電気化学セルの容器２が容器の完全な形態にあるときにマンドレル３の長手方向軸と重なる。セパレータ材料シート４を巻回軸Ｗ回りに巻回すると、複数層のセパレータ材料は、セパレータ材料自体に巻き付くにつれて形成される。完全なエネルギー蓄積デバイス１において、セパレータ材料４は、容器２内に配設されており、パッケージ軸Ｐに沿って配置された複数のセパレータ層を形成する。これにより、セパレータ材料の層４間に空間１４を形成し、これら空間には、電極が占める。
【００１９】
電極５は、巻回したセパレータ材料４の空間１４内においてパッケージ軸Ｐに沿って位置付けられている。簡素化のため、２つの電極５のみ（１つのアノード及び１つのカソードがセパレータ材料４と共にセルを形成する）を図１に示す。しかしながら、本発明にかかる電気化学セルの容器２は、多数の電極５を収容し得、複数の電気化学セルを形成する。
【００２０】
電極５それぞれは、タブ１５ａ、１５ｂを備えており、これらタブは、ベース７及びキャップ８の内面に固定され得る。タブ１５ａ、１５ｂを電極５それぞれに設けることによって、電極５それぞれの電流経路長を低減し、セルの内部抵抗を減少させる。
【００２１】
セルが充放電する際、電極５は、膨縮し得る。電極５が膨張して内部空間９内の容積をより多く示すと、マンドレル３は、収縮する。同様に、電極が圧縮すると、マンドレル３は、膨張して容積を再度占めつつ、セパレータ材料４と電極５との間でパッケージ軸Ｐに沿って一定の収縮力をかける。湾曲したマンドレル面１１、１２は、電極５の表面にわたって均一な圧力を維持することを保証する。
【００２２】
本発明の範囲内にある様々な代替の電気化学セルの容器２の配置を概略的に図２ａから図２ｄに示す。電気化学セルの容器２は、マンドレル３の長手方向軸Ｌに沿う断面で示されており、簡素化のために電極５を示していない。電気化学セルの容器２それぞれは、正方形の容器２として過剰に簡素化した態様で示されている。しかしながら、当然ながら、セパレータ材料４は、湾曲して、容器２の内部空間９を占める。
【００２３】
図２ａにおいて、２つのセパレータ材料シート４は、マンドレル３の周囲に巻回されている。マンドレル３は、セパレータ材料４の巻回軸Ｗに沿って位置付けられている。セパレータ材料シート４は、マンドレル３の長手方向軸Ｌ回りで同軸である。複数の層１４は、電極５を収容するために巻回したセパレータ材料４の層４間に設けられている。電極５は、パッケージ軸Ｐに沿って配設されている。
【００２４】
図２ｂにおいて、マンドレル３には、単一の湾曲面１１が設けられている。マンドレル腕体１３は、容器２の内面１０に当接して置かれている。１つのセパレータ材料シート４は、内部空間９内に設けられており、巻回軸Ｗ回りに巻回されている。巻回軸Ｗは、マンドレル３の長手方向軸Ｌと重なっていない。別個の層１４は、電極を収容するためにセパレータ材料４のロール体で設けられている。電極５は、パッケージ軸Ｐに沿って配設されている。
【００２５】
図２ｃ及び図２ｄは、本発明のさらなる代替を示しており、これら図において、セパレータ材料シート４のロール体または折畳体は、マンドレル３の周囲にあるキャビティ９ａに位置付けられており、セパレータ４は、マンドレル３の周囲に巻回されていない。図２ｃにおけるデバイスは、キャビティ９ａそれぞれにおいて２つの巻いたセパレータ材料シート４を備える。図２ｄにおいて、複数のセパレータ材料シート４は、キャビティ９ａ内に折り畳まれている。電極５は、セパレータ材料４の螺旋状層または折畳体内に配置され得る。これら場合において、マンドレル３は、単に、デバイス１内にある電極５の膨張を吸収するように機能しており、材料４、５をその周囲に巻回するためのボビンを形成しない。
【００２６】
図１における容器２は、筒状として示されているが、同様に、任意の多角柱状のセルの形状を形成し得る。本発明のデバイス１における横断面の概略図を図３ａから図３ｃに示す。単に図面を簡素化するために、キャビティ９ａ内にある連続したロール状シートに替えて同心状のリングとしてセパレータ材料４の層を示す。電極５を破線として概略的に示し、巻いたセパレータ材料シート４間にある層１４内のどこかに位置付けられ得る。図３ａは、図１の完全なデバイス１の簡略化した横断面図を示す。内面１０は、１つの連続面であり、マンドレル面１１、１２は、同じ内面１０の異なる領域を向く。
【００２７】
図３ｂは、ほぼ直方体状の容器２を有するデバイス１を示しており、マンドレル面１１、１２を向く内面は、凹面である。セパレータ材料４は、折り畳まれており、または、巻回されており、それにより、マンドレル面１１、１２と容器２の内面１０との間のキャビティ９ｂを充填する。セパレータ材料４は、パッケージ軸Ｐに沿って層１４を設けるように構成されており、これら層には、電極５が詰まっている。凹状内面１０の曲率は、マンドレル面１１、１２の曲率と同様であり、それにより、均一な圧力をセパレータ材料４の層１４内にある電極５の表面にわたってかける。
【００２８】
図３ｃは、ほぼ直平行六面体状の容器２を有するデバイス１を示しており、デバイス１は、電気化学セルが充填された１つのみのキャビティ９ａを有する。マンドレル面１１を向く内面１０は、凹面である。セパレータ材料４は、折り畳まれており、または、巻回されており、それにより、マンドレル面１１、１２と容器２の内面１０との間のキャビティ９ｃを充填する。セパレータ材料４は、パッケージ軸Ｐに沿って層１４を設けるように構成されており、これら層には、電極５が詰まっている。凹状内面１０の曲率は、マンドレル面１１、１２の曲率と同様であり、それにより、均一な圧力をセパレータ材料４の層１４内にある電極５の表面にわたってかける。
【００２９】
図３ａから図３ｃに示す例において、外部筐体の曲率は、内面１０の凹状と一致しており、外部筐体は、外部の直平行六面体状を設けるように扁平にされ得る。しかしながら、筐体６の曲率を維持するのに有益であり得る。
【００３０】
図４ａ及び図４ｂは、図３ｂ及び図３ｃにかかるエネルギー蓄積デバイス１のアレイを各別に示す。筐体６の曲率は、アレイに配設したときに容器２間の間隙１６を可能とする。湾曲した筐体６は、隣接する容器２間の物理的接触を低減することを保証する。空気のような流体は、容器２間の間隙１６内に供給され得る。容器２間の接触を低減することにより、隣接するデバイス１間に発生する熱移送を低くすることを保証する。また、流体は、容器のアレイにわたって自由に流動し、デバイス１内のセルから放出される過剰な熱を除去する冷却剤として機能する。
【符号の説明】
【００３１】
１  エネルギー蓄積デバイス、２  容器、３  マンドレル、４  セパレータ材料シート、５  電極、９  内部空間、９ａ，９ｂ，９ｃ  キャビティ、
１０  凹状内面、１１  第１マンドレル面，湾曲面、１２  第２マンドレル面，湾曲面
【図１】
2020511748.tif 000003
【図２ａ】
2020511748.tif 000004
【図２ｂ】
2020511748.tif 000005
【図２ｃ】
2020511748.tif 000006
【図２ｄ】
2020511748.tif 000007
【図３ａ−３ｃ】
2020511748.tif 000008
【図４ａ】
2020511748.tif 000009
【図４ｂ】
2020511748.tif 000010
【国際調査報告】
2020511748.tif 000011
2020511748.tif 000012
2020511748.tif 000013